(57)【特許請求の範囲】
【請求項１】
密閉形の包装袋内に台紙に巻回されたストッキング本体が収納された包装体において、台紙の全面に抗菌作用を有する薬剤を含有させたニスが塗布されていることを特徴とするストッキングの包装体。
【請求項２】
上記薬剤が銀イオンであることを特徴とする請求項１に記載のストッキングの包装体。
【発明の詳細な説明】
【技術分野】
【０００１】
この発明は、パンティストッキング等のストッキングを商品として流通させる包装体において、抗菌防臭効果を付与した包装体に関するものである。
【背景技術】
【０００２】
パンティストッキングを含むストッキングに関して、商品に付加価値を加えるために、防臭、カビ防止などを目的とした抗菌作用を付与したものが開発されており、例えば、ストッキングの構成の一部に抗菌性ナイロン等を用いたり（例えば、特許文献１参照）、抗菌性ポリアミドを含む繊維で構成したり（例えば、特許文献２参照）することが提案されている。
【０００３】
ところで、商品を包装したまま倉庫等で長期保存されたものや、購買した者が長期間自宅保存していると、包装された商品に含まれる湿気や雑菌により、カビが生じたりすることがあるので、衣類の倉庫への保管、輸送、又は顧客への販売後の顧客による商品の長期保管中に、湿気によるカビ等の発生を防止するため、菌の増殖を防ぐ目的で抗菌薬剤をストッキング商品の包装体に取り付けることが考えられる。
【０００４】
例えば、衣料品の包装の際に衣料品の保形のために用いられる台紙に対し、ポケットを設け、このポケットに防虫剤を入れることで防虫効果を与えるものや（例えば、特許文献３参照）、防虫収納袋及び衣料カバーにおいて、防虫部材を取り付けたものも提案されている（例えば、特許文献４参照）ので、防虫薬剤を抗菌剤に替えれば、ストッキング製品の防臭、カビ防止の効果が得られることになる。
【先行技術文献】
【特許文献】
【０００５】
【特許文献１】特開平４−１２６８０２号公報（特許請求の範囲）
【特許文献２】特開平４−３００３０２号公報（特許請求の範囲）
【特許文献３】実開昭５６−１０３４８５号公報（明細書第３頁第３〜８行目）
【特許文献４】特開平５−２９３０３０号公報（特許請求の範囲）
【発明の概要】
【発明が解決しようとする課題】
【０００６】
しかしながら、特許文献３のものは、衣料品用の台紙にポケットを設けてからそこに防虫剤等の薬剤を入れるため、ポケットを設ける分だけ台紙のコストアップとなり、また、そのポケットに入れる防虫剤や抗菌剤など別途の薬剤を用意しなければならない等の問題があった。
【０００７】
また、特許文献４のものについても、衣料用の収納袋やカバー内に別途防虫剤を練り込んだ小片を設置するものであり、内部に小片用の収納部を設けたりする必要があり、また収納袋やカバーが小片の分だけ厚みが増えて膨らみ、所定の場所に大量収納する場合、防虫や抗菌作用の無い収納袋やカバーに対して厚みが増すため、商品の収納数が減少するという問題点があった。
【０００８】
特に、パンティストッキング等のストッキング製品の場合、長期保存の場合のカビ発生を防止するために、抗菌剤などの薬剤を商品に別途添付するのは、元のストッキング包装体に比べて薬剤の分厚みが増し、商品の保管、輸送コストが上がってしまうという問題点があった。
【０００９】
そこで、この発明は、パンティストッキング等のストッキングの包装体において、比較的低コストで防臭、カビ防止等の抗菌防臭効果を与えることができ、かつ抗菌剤の収納による厚み増加が無いストッキングの包装体を提案するものである。
【課題を解決するための手段】
【００１０】
上記の課題を解決するための、請求項１の発明は、密閉形の包装袋内に台紙に巻回されたストッキング本体が収納された包装体において、台紙の全面に抗菌作用を有する薬剤を含有させたニスが塗布されている構成を採用したものである。
【００１１】
請求項２の発明は、上記請求項１に記載の衣類の包装体において、上記薬剤が銀イオンである構成を採用したものである。
【００１２】
なお、この発明において、ストッキングとは、パンティストッキング、ガーターストッキング、ショートストッキング等を含む総称である。
【発明の効果】
【００１３】
以上のように、この発明によると、ストッキングの商品完成後から顧客に製品が届くまで長期間を有し、また実際にそのストッキングが使用されるまで顧客購入時から半年以上の長期間そのまま保管されることがあるが、その間の保管状況の兼ね合いで、包装された商品に含まれる湿気や雑菌により商品の衣類に菌が繁殖して臭いが発生したりカビが発生してしまうおそれがあるが、この発明の密閉袋内に収納された台紙の抗菌作用により長期間の保存においても、商品の品質を保持することができる。
【００１４】
また、ストッキングの包装体内において衣類の形状を整える目的で使用される台紙に抗菌作用を付与したため、包装体自体の厚みが抗菌作用を有さない従来の包装体と厚みが何ら変わらず、商品の流通や保管において場所をよけいに取らない。
【００１５】
特に、ストッキングのような薄い生地のものは、包装袋内で皺になったりズレてしまい商品価値を低下させるため、従来よりそれらを巻き付けることで包装袋内で固定するための台紙が必須となっているが、その台紙をそのまま用いるため、抗菌防臭作用を付与するために商品包装体の厚みが増えたりしない。
【図面の簡単な説明】
【００１６】
【図１】この発明のパンティストッキングの包装体を示す正面図である。
【図２】（ａ）は包装体を構成する台紙、（ｂ）は台紙にパンティストッキングを巻回した状態の正面図である。
【図３】この発明のパンティストッキングの包装体の分解斜視図である。
【発明を実施するための形態】
【００１７】
以下、この発明の実施の形態を、この発明を採用したパンティストッキング用の商品包装を例として説明する。
【００１８】
図１は、この発明の一例としてのパンティストッキングの商品包装体（パッケージ）を示すもので、内部が透けて見える透明な樹脂袋４内に、パンティストッキング１は、デザイン紙３に設けられた四角形状の開口部３ａから一部を外に見える状態で収納されており、この開口部３ａによってパンティストッキング１の色合いが目視で確認でき、また、デザイン紙３の開口部３ａ以外の部分には、パンティストッキング商品の説明や商標の記入や装飾的デザインが施されている。
【００１９】
パンティストッキング１の包装手順としては、パンティストッキング１を図２（ａ）に示す厚紙からなる台紙２の周囲に台紙２の長手方向の縦方向に何回も巻き付けることで、図２（ｂ）に示すように可撓性のあるパンティストッキング１を台紙２の外形と同じ形状に整える。
【００２０】
次に、図３に示すように、パンティストッキング１を外側に巻回した台紙２の両面を予め、商品が直接見れるような開口部３ａが設けられた２つ折りの平板なデザイン紙３で挟み、更に透明な樹脂袋４内に収納することで、図１に示したようなパンティストッキングのパッケージ済み商品の包装体が出来上がる。
【００２１】
なお、このパンティストッキング１、台紙２、デザイン紙３、樹脂袋４からなる包装体の構成自体は、従来からある抗菌作用の無い包装体と同じであり、すなわち、この発明の衣類の包装体としての大きさ（縦横寸法や厚み）や重さは、従来の衣類の包装体と変わらず、従来の商品と同じように、輸送、保管、販売のための展示等を行うことができる。
【００２２】
この実施形態に係るパンティストッキングの包装体においては、図２（ａ）で示す台紙２の表面に、抗菌ニスが塗布されており、この抗菌作用によりパンティストッキング１は長期の保管にかかわらずカビが生じたり、また、菌の繁殖も抑えられるので、臭みも抑えられる。
【００２３】
なお、この実施形態で使用する抗菌剤としては、例えば、銀イオン（Ａｇ＋）があり、抗菌性・安全性・安定持続性に大変優れた抗菌素材であり、肌の消臭剤や、洗剤などにも使われている他、その安全性から食料品用にも使用される抗菌剤である。
【実施例１】
【００２４】
銀イオンを抗菌剤として使用した場合の実施例の試験結果を示す。
まず、銀イオン抗菌剤を含有させたニスを、試験台紙に塗布し、検体の抗菌性試験を行った。
【００２５】
（１）試験片前処理
抗菌製品技術協議会  試験法  抗菌加工製品の抗菌力持続性試験法（2003年度版）耐光性試験、区分１（キセノンランプ６０Ｗ／ｍ２、１０時間照射）により、検体の試験片前処理を行った。
なお、試験片前処理はＩＮＬＡ認定対象外である。
【００２６】
（２）抗菌性試験
ＪＩＳ  Ｚ  ２８０１：２０００「抗菌加工製品−抗菌試験方法・抗菌効果」５．２  プラスチック製品などの試験方法により、検体の抗菌性試験を行った。
【００２７】
（３）試験結果
結果を表１に、次式に算出した抗菌活性値を表２に、試験に用いた試験片、フィルム及び菌液の概要を表３に示す。
抗菌活性値＝ｌｏｇ（Ｂ／Ｃ）
Ｂ：無加工試験片（ポリエチレンフィルム）の２４時間後の生菌数の平均値
Ｃ：検体の２４時間後の生菌数の平均値
【００２８】
【表１】
0006781904.tif 000002
【００２９】
＊＊＊：実施せず
無加工試験片：ポリエチレンフィルム
＜１０：検出せず
耐光性試験：区分１［キセノンランプ（６０Ｗ／ｍ２）、１０時間照射］
大腸菌：Escherichia coli NBRC 3972
黄色ぶどう球菌：Staphylococcus aureus subsp.aureus NBRC 12732
【００３０】
【表２】
0006781904.tif 000003
【００３１】
＊＊＊：実施せず
＊  抗菌効果：２．０以上
【００３２】
【表３】
0006781904.tif 000004
【実施例２】
【００３３】
抗菌コートの種類を変えて、実施例１と同様の試験内容にて試験を行った。
結果を表４に、次式に算出した抗菌活性値を表５に、試験に用いた試験片、フィルム及び菌液の概要を表６に示す。
【００３４】
【表４】
0006781904.tif 000005
【００３５】
＊＊＊：実施せず
無加工試験片：ポリエチレンフィルム
＜１０：検出せず
耐光性試験：区分１［キセノンランプ（６０Ｗ／ｍ２）、１０時間照射］
大腸菌：Escherichia coli NBRC 3972
黄色ぶどう球菌：Staphylococcus aureus subsp.aureus NBRC 12732
【００３６】
【表５】
0006781904.tif 000006
【００３７】
＊＊＊：実施せず
＊  抗菌効果：２．０以上
【００３８】
【表６】
0006781904.tif 000007
【比較例】
【００３９】
比較例として、通常ニスコートを使用した場合の実施例の試験結果を示す。
試験片前処理、試験内容は、実施例１と同様であり省略する。
結果を表７に、次式に算出した抗菌活性値を表８に、試験に用いた試験片、フィルム及び菌液の概要を表９に示す。
【００４０】
【表７】
0006781904.tif 000008
【００４１】
＊＊＊：実施せず
無加工試験片：ポリエチレンフィルム
＜１０：検出せず
耐光性試験：区分１［キセノンランプ（６０Ｗ／ｍ２）、１０時間照射］
大腸菌：Escherichia coli NBRC 3972
黄色ぶどう球菌：Staphylococcus aureus subsp.aureus NBRC 12732
【００４２】
【表８】
0006781904.tif 000009
【００４３】
＊＊＊：実施せず
＊  抗菌効果：２．０以上
【００４４】
【表９】
0006781904.tif 000010
【００４５】
以上のように、ニスを塗布していない無加工の試験片が接種直後から２４時間後に大腸菌、黄色ぶどう球菌が増殖しているのに対し、Ａｇ＋イオンを抗菌剤として含有したニスを塗布した検体（実施例）は、大腸菌、黄色ぶどう球菌が大幅に減じているのがわかる（表１、表４参照）。
【００４６】
また、抗菌剤を含有しない通常のニスを塗布した検体（比較例）と比較しても、２４時間後に比較例のものが菌数が殆ど変わらないのに対し（表８参照）、実施例１，２では菌数が顕著に減り、有効な抗菌性を有しているのがわかった。
【符号の説明】
【００４７】
１  パンティストッキング
２  台紙
３  デザイン紙
４  樹脂袋
【要約】
【課題】商品としてのストッキングの包装体において、比較的低コストで防臭、カビ防止等の抗菌防臭効果を与えることができ、かつ抗菌剤の収納による厚み増加が無いようなストッキングの包装体を提案する。
【解決手段】密閉形の包装袋である樹脂袋４内に台紙２に巻回されたパンティストッキング１が収納された包装体において、台紙２の表面の一部又は全体に抗菌作用を有する薬剤を含有させたニスが塗布されているストッキングの包装体。
【選択図】図３【図１】
0006781904.tif 000011
【図２】
0006781904.tif 000012
【図３】
0006781904.tif 000013